(57)【要約】【課題】ＣＤの固定をより簡単にし、かつ、確実にすることができるＣＤケースを提供する。【解決手段】第１部片１８の表面とＣＤホルダー部２８によってＣＤ１を挟持すると共に第１のスリット３０によってＣＤ１の右側の周縁を固定し、次に、第１部片１８の表面と第２部片２０の表面とを重ね合わせると共に第２のスリット３２によってＣＤ１の左側の周縁を固定し、次に、第１部片１８の裏面と第３部片２２の表面とを重ね合わせる。【選択図】      図２
2004196377.tif 000002
【特許請求の範囲】
【請求項１】
１枚の厚紙をＣＤの直径と略同じ幅に三つ折りにして第１部片、第２部片、第３部片を形成し、
前記第１部片の表面を前記ＣＤを支持するＣＤ支持部とし、
前記第１部片の一方の側部に延設された第２部片を前記第１部片の表面への重ね合わせ部とし、
前記第２部片の一方の側部に延設された第３部片を前記第１部片の裏面への重ね合わせ部とし、
前記第１部片と前記第２部片との間の折り線上に前記ＣＤの一方の周縁を差し込む第１のスリットを形成し、
前記第２部片と前記第３部片との間の折り線上に前記ＣＤの他方の周縁を差し込む第２のスリットを形成し、
前記第１部片に前記ＣＤの直径より短い２本の切り込み線を前記折り線と平行に、かつ、前記第１部片の中心から他方の側部へずれた位置に設けることによって帯状のＣＤホルダー部を形成し、
前記第１部片の表面と前記ＣＤホルダー部によって前記ＣＤを挟持すると共に前記第１のスリットによって前記ＣＤの一方の周縁を固定し、
次に、前記第１部片の表面と前記第２部片の表面とを重ね合わせると共に前記第２のスリットによって前記ＣＤの他方の周縁を固定し、
次に、前記第１部片の裏面と前記第３部片の表面とを重ね合わせる
ことを特徴とするＣＤケース。
【請求項２】
前記第３部片の表面に冊子が固定されている
ことを特徴とする請求項１記載のＣＤケース。
【請求項３】
１枚の厚紙をＣＤの直径と略同じ幅に三つ折りにして第１部片、第２部片、第３部片、第４部片を形成し、
前記第１部片の表面を前記ＣＤを支持するＣＤ支持部とし、
前記第２部片の表面を資料を支持する資料支持部とし、
前記第１部片の一方の側部に延設された第２部片を前記第１部片の表面への重ね合わせ部とし、
前記第１部片の他方の側部に延設された第３部片を前記第２部片の裏面への重ね合わせ部とし、
前記第３部片の他方の側部に延設された第４部片を前記第１部片の裏面への重ね合わせ部とし、
前記第１部片と前記第２部片との間の折り線上に前記ＣＤの一方の周縁を差し込む第１のスリットを形成し、
前記第１部片と前記第３部片との間の折り線上に前記ＣＤの他方の周縁を差し込む第２のスリットを形成し、
前記第３部片と前記第４部片との間の折り線上に前記ＣＤの一方の周縁を差し込む第３のスリットを形成し、
前記第１部片に前記ＣＤの直径より短い２本の切り込み線を前記折り線と平行に、かつ、前記第１部片の中心から一方の側部へずれた位置に設けることによって帯状のＣＤホルダー部を形成し、
前記第２部片に少なくとも２本の切り込み線を前記折り線と平行に設けることによって資料ホルダー部を形成し、
前記第３部片に開口部を形成し、
前記第１部片の表面と前記ＣＤホルダー部によって前記ＣＤを挟持すると共に前記第１のスリットと前記第２スリットによって前記ＣＤの両方の周縁を固定し、
前記第２部片の表面と前記資料ホルダー部によって前記資料を挟持すると共に前記第２部片の裏面に前記資料の一部が露出し、
前記第１部片の表面と前記第２部片の表面とを重ね合わせ、
次に、前記第２部片の裏面と前記第３部片の表面とを重ね合わせる共に前記第３部片の裏面における前記開口部から前記資料の一部が露出し、
次に、前記第１部片の裏面と前記第４部片の表面とを重ね合わせる
ことを特徴とするＣＤケース。
【請求項４】
前記第４部片の表面に冊子が固定されている
ことを特徴とする請求項３記載のＣＤケース。
【請求項５】
１枚の厚紙を三つ折りにしてＣＤの直径と略同じ幅の第１部片と第２部片、前記ＣＤの直径より狭い幅の第３部片を形成し、
前記第１部片の表面を前記ＣＤを支持するＣＤ支持部とし、
前記第１部片の一方の側部に延設された第２部片を前記第１部片の表面への重ね合わせ部とし、
前記第２部片の一方の側部に延設された第３部片を前記第１部片の裏面への蓋部とし、
前記第１部片と前記第２部片との間の折り線上に前記ＣＤの一方の周縁を差し込む第１のスリットを形成し、
前記第２部片と前記第３部片との間の折り線上に前記ＣＤの他方の周縁を差し込む第２のスリットを形成し、
前記第１部片に前記ＣＤの直径より短い２本の切り込み線を前記折り線と平行に、かつ、前記第１部片の中心から他方の側部へずれた位置に設けることによって帯状のＣＤホルダー部を形成し、
前記第１部片に前記ＣＤの直径より短い２本の切り込み線を前記折り線と平行に、かつ、前記第１部片の中心から他方の側部へずれた位置に設けることによって帯状のＣＤホルダー部を形成し、
前記第３部片における前記第２部片の反対側の側端部に差し込み片が突出し、また、前記第１部片に前記差し込み片が差し込まれる差し込み口を形成し、
前記第１部片の表面と前記ＣＤホルダー部によって前記ＣＤを挟持すると共に前記第１のスリットによって前記ＣＤの一方の周縁を固定し、
次に、前記第１部片の表面と前記第２部片の表面とを重ね合わせると共に前記第２のスリットによって前記ＣＤの他方の周縁を固定し、
次に、前記第１部片の裏面と前記第３部片の表面とを重ね合わせて、前記第３部片の差し込み片を前記第１部片の差し込み口に差し込む
ことを特徴とするＣＤケース。
【請求項６】
１枚の厚紙を三つ折りにしてＣＤの直径と略同じ幅の第１部片と第２部片、前記ＣＤの直径より狭い幅の第３部片を形成し、
前記第１部片の表面を前記ＣＤを支持するＣＤ支持部とし、
前記第１部片の一方の側部に延設された第２部片を前記第１部片の表面への重ね合わせ部とし、
前記第２部片の一方の側部に延設された第３部片を前記第１部片の裏面への蓋部とし、
前記第１部片と前記第２部片との間の折り線上に前記ＣＤの一方の周縁を差し込む第１のスリットを形成し、
前記第２部片と前記第３部片との間の折り線上に前記ＣＤの他方の周縁を差し込む第２のスリットを形成し、
前記第１部片に前記ＣＤの直径より短い２本の切り込み線を前記折り線と平行に、かつ、前記第１部片の中心から他方の側部へずれた位置に設けることによって帯状のＣＤホルダー部を形成し、
前記第１部片の表面と前記ＣＤホルダー部によって前記ＣＤを挟持すると共に前記第１のスリットによって前記ＣＤの一方の周縁を固定し、
次に、前記第１部片の表面と前記第２部片の表面とを重ね合わせると共に前記第２のスリットによって前記ＣＤの他方の周縁を固定し、
次に、前記第１部片の裏面と前記第３部片の表面とを重ね合わせて、前記第３部片の側端部を前記第１部片の切り込み線に差し込む
ことを特徴とするＣＤケース。
【発明の詳細な説明】
【０００１】
【発明の属する技術分野】
本発明は、ＣＤケースに関するものである。
【０００２】
【従来の技術】
従来より、ＣＤ（コンパクトディスク）を折り畳んだ厚紙で固定するＣＤケースが種々提案されている。
【０００３】
例えば、厚紙を折り畳んだ状態で、ＣＤを挟み添える大きさのシートの折り畳んだ一方に、ＣＤの直径より短い帯状ホルダーを設けて、その両端を固着し、帯状ホルダーの中央には、ＣＤのスピンドル穴に向かい折り曲げ自在の突片を形成してなるものが提案されている（特許文献１）。
【０００４】
【特許文献１】
実開平２−４８５９２号公報
【０００５】
【発明が解決しようとする課題】
しかしながら、上記構成のＣＤケースであると、ＣＤのスピンドル穴に突片を差し込んで固定する必要があり、そのＣＤの固定作業が非常に煩雑になるという問題点がある。
【０００６】
そこで、本発明は上記問題点に鑑み、ＣＤの固定をより簡単にし、かつ、確実にすることができるＣＤケースを提供するものである。
【０００７】
【課題を解決するための手段】
請求項１の発明は、１枚の厚紙をＣＤの直径と略同じ幅に三つ折りにして第１部片、第２部片、第３部片を形成し、前記第１部片の表面を前記ＣＤを支持するＣＤ支持部とし、前記第１部片の一方の側部に延設された第２部片を前記第１部片の表面への重ね合わせ部とし、前記第２部片の一方の側部に延設された第３部片を前記第１部片の裏面への重ね合わせ部とし、前記第１部片と前記第２部片との間の折り線上に前記ＣＤの一方の周縁を差し込む第１のスリットを形成し、前記第２部片と前記第３部片との間の折り線上に前記ＣＤの他方の周縁を差し込む第２のスリットを形成し、前記第１部片に前記ＣＤの直径より短い２本の切り込み線を前記折り線と平行に、かつ、前記第１部片の中心から他方の側部へずれた位置に設けることによって帯状のＣＤホルダー部を形成し、前記第１部片の表面と前記ＣＤホルダー部によって前記ＣＤを挟持すると共に前記第１のスリットによって前記ＣＤの一方の周縁を固定し、次に、前記第１部片の表面と前記第２部片の表面とを重ね合わせると共に前記第２のスリットによって前記ＣＤの他方の周縁を固定し、次に、前記第１部片の裏面と前記第３部片の表面とを重ね合わせることを特徴とするＣＤケースである。
【０００８】
請求項２の発明は、前記第３部片の表面に冊子が固定されていることを特徴とする請求項１記載のＣＤケースである。
【０００９】
請求項３の発明は、１枚の厚紙をＣＤの直径と略同じ幅に三つ折りにして第１部片、第２部片、第３部片、第４部片を形成し、前記第１部片の表面を前記ＣＤを支持するＣＤ支持部とし、前記第２部片の表面を資料を支持する資料支持部とし、前記第１部片の一方の側部に延設された第２部片を前記第１部片の表面への重ね合わせ部とし、前記第１部片の他方の側部に延設された第３部片を前記第２部片の裏面への重ね合わせ部とし、前記第３部片の他方の側部に延設された第４部片を前記第１部片の裏面への重ね合わせ部とし、前記第１部片と前記第２部片との間の折り線上に前記ＣＤの一方の周縁を差し込む第１のスリットを形成し、前記第１部片と前記第３部片との間の折り線上に前記ＣＤの他方の周縁を差し込む第２のスリットを形成し、前記第３部片と前記第４部片との間の折り線上に前記ＣＤの一方の周縁を差し込む第３のスリットを形成し、前記第１部片に前記ＣＤの直径より短い２本の切り込み線を前記折り線と平行に、かつ、前記第１部片の中心から一方の側部へずれた位置に設けることによって帯状のＣＤホルダー部を形成し、前記第２部片に少なくとも２本の切り込み線を前記折り線と平行に設けることによって資料ホルダー部を形成し、前記第３部片に開口部を形成し、前記第１部片の表面と前記ＣＤホルダー部によって前記ＣＤを挟持すると共に前記第１のスリットと前記第２スリットによって前記ＣＤの両方の周縁を固定し、前記第２部片の表面と前記資料ホルダー部によって前記資料を挟持すると共に前記第２部片の裏面に前記資料の一部が露出し、前記第１部片の表面と前記第２部片の表面とを重ね合わせ、次に、前記第２部片の裏面と前記第３部片の表面とを重ね合わせる共に前記第３部片の裏面における前記開口部から前記資料の一部が露出し、次に、前記第１部片の裏面と前記第４部片の表面とを重ね合わせることを特徴とするＣＤケースである。
【００１０】
請求項４の発明は、前記第４部片の表面に冊子が固定されていることを特徴とする請求項３記載のＣＤケースである。
【００１１】
請求項５の発明は、１枚の厚紙を三つ折りにしてＣＤの直径と略同じ幅の第１部片と第２部片、前記ＣＤの直径より狭い幅の第３部片を形成し、前記第１部片の表面を前記ＣＤを支持するＣＤ支持部とし、前記第１部片の一方の側部に延設された第２部片を前記第１部片の表面への重ね合わせ部とし、前記第２部片の一方の側部に延設された第３部片を前記第１部片の裏面への蓋部とし、前記第１部片と前記第２部片との間の折り線上に前記ＣＤの一方の周縁を差し込む第１のスリットを形成し、前記第２部片と前記第３部片との間の折り線上に前記ＣＤの他方の周縁を差し込む第２のスリットを形成し、前記第１部片に前記ＣＤの直径より短い２本の切り込み線を前記折り線と平行に、かつ、前記第１部片の中心から他方の側部へずれた位置に設けることによって帯状のＣＤホルダー部を形成し、前記第１部片に前記ＣＤの直径より短い２本の切り込み線を前記折り線と平行に、かつ、前記第１部片の中心から他方の側部へずれた位置に設けることによって帯状のＣＤホルダー部を形成し、前記第３部片における前記第２部片の反対側の側端部に差し込み片が突出し、また、前記第１部片に前記差し込み片が差し込まれる差し込み口を形成し、前記第１部片の表面と前記ＣＤホルダー部によって前記ＣＤを挟持すると共に前記第１のスリットによって前記ＣＤの一方の周縁を固定し、次に、前記第１部片の表面と前記第２部片の表面とを重ね合わせると共に前記第２のスリットによって前記ＣＤの他方の周縁を固定し、次に、前記第１部片の裏面と前記第３部片の表面とを重ね合わせて、前記第３部片の差し込み片を前記第１部片の差し込み口に差し込むことを特徴とするＣＤケースである。
【００１２】
請求項６の発明は、１枚の厚紙を三つ折りにしてＣＤの直径と略同じ幅の第１部片と第２部片、前記ＣＤの直径より狭い幅の第３部片を形成し、前記第１部片の表面を前記ＣＤを支持するＣＤ支持部とし、前記第１部片の一方の側部に延設された第２部片を前記第１部片の表面への重ね合わせ部とし、前記第２部片の一方の側部に延設された第３部片を前記第１部片の裏面への蓋部とし、前記第１部片と前記第２部片との間の折り線上に前記ＣＤの一方の周縁を差し込む第１のスリットを形成し、前記第２部片と前記第３部片との間の折り線上に前記ＣＤの他方の周縁を差し込む第２のスリットを形成し、前記第１部片に前記ＣＤの直径より短い２本の切り込み線を前記折り線と平行に、かつ、前記第１部片の中心から他方の側部へずれた位置に設けることによって帯状のＣＤホルダー部を形成し、前記第１部片の表面と前記ＣＤホルダー部によって前記ＣＤを挟持すると共に前記第１のスリットによって前記ＣＤの一方の周縁を固定し、次に、前記第１部片の表面と前記第２部片の表面とを重ね合わせると共に前記第２のスリットによって前記ＣＤの他方の周縁を固定し、次に、前記第１部片の裏面と前記第３部片の表面とを重ね合わせて、前記第３部片の側端部を前記第１部片の切り込み線に差し込むことを特徴とするＣＤケースである。
【００１３】
【作  用】
請求項１のＣＤケースであると、第１部片の表面とＣＤホルダー部によってＣＤを挟持すると共に第１スリットによってＣＤの一方の周縁を固定し、次に、第１部片の表面と第２部片の表面とを重ね合わせると共に第２のスリットによってＣＤの他方の周縁を固定し、次に、第１部片の裏面と第３部片の表面とを重ね合わせる。これによって、ＣＤを簡単かつ確実に固定することができる。
【００１４】
請求項２のＣＤケースでは、請求項１のＣＤケースにおける第３部片の表面に冊子を固定することができる。
【００１５】
請求項３のＣＤケースであると、第１部片の表面とＣＤホルダー部によってＣＤを挟持すると共に第１のスリットと第２のスリットによってＣＤの両方の周縁を固定し、第２部片の表面と資料ホルダー部によって資料を挟持すると共に第２部片の裏面に資料の一部が露出し、第１部片の表面と第２部片の表面とを重ね合わせ、第２部片の裏面と第３部片の表面とを重ね合わせると共に第３部片の裏面における開口部から資料の一部が露出し、次に、第１部片の裏面と第４部片の表面とを重ね合わせる。これによって、ＣＤと資料を簡単かつ確実に固定することができる。
【００１６】
請求項４のＣＤケースであると、請求項１におけるＣＤケースにおいて第４部片の表面に冊子を固定することができる。
【００１７】
請求項５のＣＤケースであると、第１部片の表面とＣＤホルダー部によってＣＤを挟持すると共に第１スリットによってＣＤの一方の周縁を固定し、次に、第１部片の表面と第２部片の表面とを重ね合わせると共に第２のスリットによってＣＤの他方の周縁を固定し、次に、第１部片の裏面と第３部片の表面とを重ね合わせて、第３部片の差し込み片を第１部片の差し込み口に差し込む。これによって、ＣＤを簡単かつ確実に固定することができ、また、ＣＤに蓋もすることができる。
【００１８】
請求項６のＣＤケースであると、第１部片の表面とＣＤホルダー部によってＣＤを挟持すると共に第１スリットによってＣＤの一方の周縁を固定し、次に、第１部片の表面と第２部片の表面とを重ね合わせると共に第２のスリットによってＣＤの他方の周縁を固定し、次に、第１部片の裏面と第３部片の表面とを重ね合わせて、第３部片の側端部を第１部片の切り込み線に差し込む。これによって、ＣＤを簡単かつ確実に固定することができ、また、ＣＤに蓋もすることができる。
【００１９】
【発明の実施の形態】
以下、本発明の実施例のＣＤケースについて説明する。
【００２０】
なお、本明細書におけるＣＤ１とは、音楽が録音されているＣＤに限らず、データが記録されているＣＤ−ＲＯＭ、データの読み書きができるＣＤ−ＲＷやその他データの読み書きができるものに加えて、ＤＶＤ、ＤＶＤ−ＲＷ等のＣＤと同じ大きさの円盤状の記録媒体を全て含むものとする。
【００２１】
（第１の実施例）
以下、本発明の第１の実施例のＣＤケース１０について、図１から図４に基づいて説明する。
【００２２】
図１は、本実施例のＣＤケース１０の平面図である。なお、以下では、図１に表れている面を表面といい、反対側の面を裏面という。
【００２３】
図１に示すように、帯状の厚紙１２をそれぞれＣＤ１の直径と略同じ幅で三つ折り可能なように、縦方向に第１の折り線１４と第２の折り線１６とを平行に設け、この厚紙１２を、第１部片１８、第２部片２０、第３部片２２に分けるものである。そして、第１部片１８の右側に第２部片２０を延設し、第２部片２０の右側に第３部片２２を延設する。
【００２４】
この寸法の例としては、ＣＤ１の直径を１２０ｍｍとした場合に、厚紙１２の全体の横寸法は３５１ｍｍ、縦寸法は１６０ｍｍである。第１部片１８の横寸法は１１４ｍｍ、第２部片２０の横寸法は１１７ｍｍ、第３部片２２の横寸法は１２０ｍｍである。
【００２５】
第１部片１８は、ＣＤ１を固定するＣＤ支持部であって、第１の折り線１４と平行に２本（すなわち、縦方向に２本）の切り込み線２４，２６が設けられ、帯状のＣＤホルダー部２８が形成されている。このＣＤホルダー部２８の設けられている位置は、第１部片１８の中心から左側にずれた位置に設けられている。この切り込み線２４の縦寸法は、１１９ｍｍでありＣＤ１の直径より短い。
【００２６】
第１の折り線１４の中央には、ＣＤ１の右側の周縁が差し込まれる第１のスリット３０が設けられている。
【００２７】
第２の折り線１６の中央にも、ＣＤ１の左側の周縁が差し込まれる第２のスリット３２が設けられている。
【００２８】
上記構成のＣＤケース１０によってＣＤ１を固定する場合について図２から図４に基づいて説明する。
【００２９】
図２に示すように、第１部片１８の表面のＣＤホルダー部２８にＣＤ１を取り付ける。この場合には、ＣＤホルダー部２８が左側にずれた状態で設けられているため、第１部片１８の右側からＣＤホルダー部２８と第１部片１８との間にＣＤ１を挟持するように差し込み、ＣＤホルダー部２８の部分だけＣＤ１が隠れるようにする。ＣＤ１の右側の周縁を第１のスリット３０に差し込む。第１部片１８を第２部片２０の表面に重ねるように折曲する。
【００３０】
次に、図３に示すように、第１部片１８を折曲した後に、ＣＤ１の左側の周縁を第２のスリット３２に差し込む。これによって、ＣＤ１の両側の周縁が第１のスリット３０と第２のスリット３２によって固定される。
【００３１】
次に、図４に示すように、第１部片１８の裏面に向かって第３部片２２の表面を折曲して、第１部片１８の裏面と第３部片２２の表面を重ねる。
【００３２】
これによって、ＣＤ１はＣＤホルダー部２８と第１のスリット３０と第２のスリット３２によって完全に固定することができ、その取り付け作業も簡単である。
【００３３】
（第２の実施例）
第２の実施例のＣＤケース１０について、図５に基づいて説明する。
【００３４】
第１の実施例のＣＤケース１０と本実施例のＣＤケース１０との相違点は、第３部片２２に冊子３４が固定されている点にある。
【００３５】
すなわち、このＣＤ１の取り扱い方法等の説明書を記載した冊子３４を、第３部片２２に取り付け、第１の実施例と同様に第１部片１８と第２部片２０と第３部片２２とを折曲することにより、冊子３４とＣＤ１を収納し、かつ、固定することができる。
【００３６】
この場合においても、ＣＤ１の取り付けは、第１の実施例と同様に簡単でかつ確実に固定することができる。
【００３７】
（第３の実施例）
次に、第３の実施例のＣＤケース１００について図６から図１０に基づいて説明する。
【００３８】
図６は、本実施例のＣＤケース１００の平面図である。なお、以下では、図６に表れている面を表面といい、反対側の面を裏面という。
【００３９】
図６に示すように、帯状の厚紙１０２に第１の折り線１０４、第２の折り線１０６、第３の折り線１０８を縦方向に平行に設け、ＣＤ１の直径と略同じ幅に四つ折りになるようにして、第１部片１１０、第２部片１１２、第３部片１１４、第４部片１１６を形成する。
【００４０】
寸法の例示としては、ＣＤ１の直径は１２０ｍｍとすると、帯状の厚紙１０２の全体の横寸法は４６３ｍｍ、縦寸法は１６０ｍｍである。第１部片１１０の横寸法は１１４ｍｍ、第２部片１１２の横寸法は１１２ｍｍ、第３部片１１４の横寸法は１１７ｍｍ、第４部片１１６の横寸法は１２０ｍｍである。
【００４１】
そして、第１部片１１０の左側に第２部片１１２を延設し、第１部片１１０の右側に第３部片１１４を延設する。第３部片１１４の右側に第４部片１１６を延設する。
【００４２】
第１部片１１０はＣＤ１を支持するＣＤ支持部であって、第１部片１１０の縦方向（すなわち、第１の折り線１０４）と平行に、２本の切り込み線１１８，１２０が設けられ、この２本の切り込み線１１８，１２０によってＣＤホルダー部１２２が形成されている。このＣＤホルダー部１２２の形成される位置は、第１部片１１０の中心より右側にずれた位置に設けられている。第１部片１１０と第２部片１１２とを仕切る第１の折り線１０４の中央部には第１のスリット１２４が設けられている。この切り込み線１１８，１２０の寸法は、ＣＤ１の直径より短い１１９ｍｍである。
【００４３】
第１部片１１０と第３部片１１４とを仕切る第２の折り線１０６の中央には、第２のスリット１２６が設けられている。
【００４４】
第３部片１１４と第４部片１１６とを仕切る第３の折り線１０８の中央には、第３のスリット１２８が設けられている。
【００４５】
第２部片１１２の縦方向には、左切り込み線１３０、中切り込み線１３２、右切り込み線１３４が平行に設けられている。この左切り込み線１３０と中切り込み線１３２の長さは１１５ｍｍであり、右切り込み線１３４の長さは１０５ｍｍである。そして、第２部片１１２の右端部と右切り込み線１３４との間で第１資料ホルダー部１３６を形成し、中切り込み線１３２と左切り込み線１３０とによって第２資料ホルダー部１３８を形成している。
【００４６】
第３部片１１４の中央には、長方形の開口部１４０が設けられている。
【００４７】
上記構成のＣＤケース１００を用いてＣＤ１と資料とを固定する場合について図７から図１０に基づいて説明する。ここで、資料とは、必要な事項を記載した封筒を折り畳んだものとする。
【００４８】
まず、第１部片１１０の表面のＣＤホルダー部１２２にＣＤ１を固定する。この場合に、図７に示すように、ＣＤホルダー部１２２は右側にずれて設けられているため、第１部片１１０の左側からＣＤ１をＣＤホルダー部１２２に差し込み、第１部片１１０とＣＤホルダー部１２２によってＣＤ１を挟持する。また、ＣＤ１の左側周縁を第１のスリット１２４に差し込み、右側の周縁を第２のスリット１２６に差し込む。
【００４９】
また、図７に示すように、資料１４２を第２部片１１２の表面に固定する。この場合に、資料１４２を第２資料ホルダー部１３８に差し込んだ後に第１資料ホルダー部１３６に差し込む。これによって、第２資料ホルダー部１３８の裏面側、すなわち第２部片１１２の裏面側に資料１４２の一部が露出する。
【００５０】
次に、図８に示すように、第２部片１１２を折曲して、第１部片１１０の表面に第２部片１１２の表面が重ねる。
【００５１】
次に、図９に示すように、重ねた第１部片１１０と第２部片１１２とを折曲して、第３部片１１４の表面に第２部片１１２の裏面が重ねる。
【００５２】
次に、第１部片１１０、第２部片１１２、第３部片１１４を重ねたものを折曲して第４部片１１６の表面に重ねる。すると、図１０に示すように、第３部片１１４の裏面が裏表紙となり、その開口部１４０から資料１４２の一部が露出する。そのため、この露出する部分に申込みコードや販売店名等を記載しておけば、ＣＤケース１００を有するものに、一目でその販売店等等を認識させることができる。
【００５３】
また、ＣＤ１もＣＤホルダー部１２２に差し込み、第１のスリット１２４と第２のスリット１２６とによって固定されているため確実に固定することができ、その固定作業も簡単である。
【００５４】
（第４の実施例）
次に、第４の実施例を図１１に基づいて説明する。
【００５５】
本実施例のＣＤケース１００と、第３の実施例のＣＤケース１００との相違点は、第４部片１１６に冊子１４４が固定されている点にある。
【００５６】
このように第４部片１１６に冊子１４４を固定することによって、ＣＤ１や資料１４２と共に折り畳んだ状態で収納することができる。
【００５７】
（第５の実施例）
以下、本発明の第５の実施例のＣＤケース２００について、図１２から図１５に基づいて説明する。
【００５８】
図１２は、本実施例のＣＤケース２００の平面図である。なお、以下では、図１２に表れている面を表面といい、反対側の面を裏面という。
【００５９】
図１２に示すように、帯状の厚紙１２をそれぞれＣＤ１の直径と略同じ幅で三つ折り可能なように、縦方向に第１の折り線１４と第２の折り線１６とを平行に設け、この厚紙１２を、第１部片１８、第２部片２０、第３部片２２２に分けるものである。そして、第１部片１８の右側に第２部片２０を延設し、第２部片２０の右側に第３部片２２２を延設する。
【００６０】
この寸法の例としては、ＣＤ１の直径を１２０ｍｍとした場合に、厚紙１２の全体の横寸法は３５１ｍｍ、縦寸法は１６０ｍｍである。第１部片１８の横寸法は１１４ｍｍ、第２部片２０の横寸法は１１７ｍｍ、第３部片２２２の横寸法は７５ｍｍである。
【００６１】
第１部片１８は、ＣＤ１を固定するＣＤ支持部であって、第１の折り線１４と平行に２本（すなわち、縦方向に２本）の切り込み線２４，２６が設けられ、帯状のＣＤホルダー部２８が形成されている。このＣＤホルダー部２８の設けられている位置は、第１部片１８の中心から左側にずれた位置に設けられている。この切り込み線２４の縦寸法は、１１９ｍｍでありＣＤ１の直径より短い。
【００６２】
また、第１部片１８には、第１の折り線１４と切り込み線２６との間に、差し込み口２２６が形成されている。この差し込み口２２６は、切り込み線２６と平行である。
【００６３】
第１の折り線１４の中央には、ＣＤ１の右側の周縁が差し込まれる第１のスリット３０が設けられている。
【００６４】
第２の折り線１６の中央にも、ＣＤ１の左側の周縁が差し込まれる第２のスリット３２が設けられている。
【００６５】
第３部片２２２の側端部、すなわち、第２部片２０と反対側の側部は、上下部が円弧状に形成され、その中央部から差し込み片２２４が突出している。
【００６６】
上記構成のＣＤケース２００によってＣＤ１を固定する場合について図１３から図１５に基づいて説明する。
【００６７】
図１３に示すように、第１部片１８の表面のＣＤホルダー部２８にＣＤ１を取り付ける。この場合には、ＣＤホルダー部２８が左側にずれた状態で設けられているため、第１部片１８の右側からＣＤホルダー部２８と第１部片１８との間にＣＤ１を挟持するように差し込み、ＣＤホルダー部２８の部分だけＣＤ１が隠れるようにする。ＣＤ１の右側の周縁を第１のスリット３０に差し込む。第１部片１８を第２部片２０の表面に重ねるように折曲する。
【００６８】
次に、図１４に示すように、第１部片１８を折曲した後に、ＣＤ１の左側の周縁を第２のスリット３２に差し込む。これによって、ＣＤ１の両側の周縁が第１のスリット３０と第２のスリット３２によって固定される。
【００６９】
次に、図１５に示すように、第１部片１８の裏面に向かって第３部片２２２の表面を折曲して、第１部片１８の裏面と第３部片２２２の表面を重ねる。そして、第３部片２２２の差し込み片２２４を、第１部片１８の差し込む口２２６に差し込んで固定する。
【００７０】
これによって、ＣＤ１はＣＤホルダー部２８と第１のスリット３０と第２のスリット３２によって完全に固定することができ、また、第３部片２２２がＣＤ１の蓋部となり、さらに、その取り付け作業も簡単である。
【００７１】
（第６の実施例）
以下、本発明の第５の実施例のＣＤケース３００について、図１６から図１９に基づいて説明する。
【００７２】
図１６は、本実施例のＣＤケース３００の平面図である。なお、以下では、図１６に表れている面を表面といい、反対側の面を裏面という。
【００７３】
図１６に示すように、帯状の厚紙１２をそれぞれＣＤ１の直径と略同じ幅で三つ折り可能なように、縦方向に第１の折り線１４と第２の折り線１６とを平行に設け、この厚紙１２を、第１部片１８、第２部片２０、第３部片３２２に分けるものである。そして、第１部片１８の右側に第２部片２０を延設し、第２部片２０の右側に第３部片３２２を延設する。
【００７４】
この寸法の例としては、ＣＤ１の直径を１２０ｍｍとした場合に、厚紙１２の全体の横寸法は３５１ｍｍ、縦寸法は１６０ｍｍである。第１部片１８の横寸法は１１４ｍｍ、第２部片２０の横寸法は１１７ｍｍ、第３部片３２２の横寸法は７５ｍｍである。
【００７５】
第１部片１８は、ＣＤ１を固定するＣＤ支持部であって、第１の折り線１４と平行に２本（すなわち、縦方向に２本）の切り込み線２４，２６が設けられ、帯状のＣＤホルダー部２８が形成されている。このＣＤホルダー部２８の設けられている位置は、第１部片１８の中心から左側にずれた位置に設けられている。この切り込み線２４の縦寸法は、１１９ｍｍでありＣＤ１の直径より短い。
【００７６】
また、第１部片１８には、第１の折り線１４と切り込み線２６との間に、差し込み口２２６が形成されている。この差し込み口２２６は、切り込み線２６と平行である。
【００７７】
第１の折り線１４の中央には、ＣＤ１の右側の周縁が差し込まれる第１のスリット３０が設けられている。
【００７８】
第２の折り線１６の中央にも、ＣＤ１の左側の周縁が差し込まれる第２のスリット３２が設けられている。
【００７９】
第３部片３２２の側端部、すなわち、第２部片２０と反対側の側部は、半円状に形成されている。
【００８０】
上記構成のＣＤケース３００によってＣＤ１を固定する場合について図１７から図１９に基づいて説明する。
【００８１】
図１７に示すように、第１部片１８の表面のＣＤホルダー部２８にＣＤ１を取り付ける。この場合には、ＣＤホルダー部２８が左側にずれた状態で設けられているため、第１部片１８の右側からＣＤホルダー部２８と第１部片１８との間にＣＤ１を挟持するように差し込み、ＣＤホルダー部２８の部分だけＣＤ１が隠れるようにする。ＣＤ１の右側の周縁を第１のスリット３０に差し込む。第１部片１８を第２部片２０の表面に重ねるように折曲する。
【００８２】
次に、図１８に示すように、第１部片１８を折曲した後に、ＣＤ１の左側の周縁を第２のスリット３２に差し込む。これによって、ＣＤ１の両側の周縁が第１のスリット３０と第２のスリット３２によって固定される。
【００８３】
次に、図１９に示すように、第１部片１８の裏面に向かって第３部片３２２の表面を折曲して、第１部片１８の裏面と第３部片３２２の表面を重ねる。そして、第３部片３２２の半円状の側端部を、第１部片１８の切り込み線２６に差し込んで固定する。
【００８４】
これによって、ＣＤ１はＣＤホルダー部２８と第１のスリット３０と第２のスリット３２によって完全に固定することができ、また、第３部片３２２がＣＤ１の蓋部となり、さらに、その取り付け作業も簡単である。
【００８５】
【発明の効果】
以上により、本発明のＣＤケースであるとＣＤを確実かつ簡単に固定することができる。
【００８６】
また、冊子も固定することができる。
【図面の簡単な説明】
【図１】本発明の第１の実施例を示すＣＤケースの平面図である。
【図２】第１の実施例のＣＤケースの第１の状態の斜視図である。
【図３】同じく第２の状態の斜視図である。
【図４】同じく第３の状態の斜視図である。
【図５】第２の実施例のＣＤケースの斜視図である。
【図６】第３の実施例のＣＤケースの平面図である。
【図７】第３の実施例のＣＤケースの第１の状態の斜視図である。
【図８】同じく第２の状態の斜視図である。
【図９】同じく第３の状態の斜視図である。
【図１０】同じく第４の状態の斜視図である。
【図１１】第４の実施例のＣＤケースの斜視図である。
【図１２】第５の実施例を示すＣＤケースの平面図である。
【図１３】第１の実施例のＣＤケースの第１の状態の斜視図である。
【図１４】同じく第２の状態の斜視図である。
【図１５】同じく第３の状態の斜視図である。
【図１６】第６の実施例を示すＣＤケースの平面図である。
【図１７】第１の実施例のＣＤケースの第１の状態の斜視図である。
【図１８】同じく第２の状態の斜視図である。
【図１９】同じく第３の状態の斜視図である。
【符号の説明】
１０  ＣＤケース
１２  厚紙
１４  第１の折り線
１６  第２の折り線
１８  第１部片
２０  第２部片
２２  第３部片
２４  切り込み線
２６  切り込み線
２８  ＣＤホルダー部
３０  第１のスリット
３２  第２のスリット
３４  冊子
【図１】
2004196377.tif 000003
【図２】
2004196377.tif 000004
【図３】
2004196377.tif 000005
【図４】
2004196377.tif 000006
【図５】
2004196377.tif 000007
【図６】
2004196377.tif 000008
【図７】
2004196377.tif 000009
【図８】
2004196377.tif 000010
【図９】
2004196377.tif 000011
【図１０】
2004196377.tif 000012
【図１１】
2004196377.tif 000013
【図１２】
2004196377.tif 000014
【図１３】
2004196377.tif 000015
【図１４】
2004196377.tif 000016
【図１５】
2004196377.tif 000017
【図１６】
2004196377.tif 000018
【図１７】
2004196377.tif 000019
【図１８】
2004196377.tif 000020
【図１９】
2004196377.tif 000021